(57)【要約】【課題】  会計に関するコスト問題や不満を解消できる注文会計方法を提供する。【解決手段】  客席端末または店員が所持するハンディ端末によってメニュー選択及び注文入力を行い、サーバによって客席端末またはハンディ端末から伝送された注文内容の記録と注文内容に応じた料金集計を行い、客席端末またはハンディ端末によってサーバから伝送された会計要求を表示手段に表示し該会計要求に従って料金支払機を通じて料金の支払いを行わせ、サーバによって客席端末またはハンディ端末から伝送された支払い完了を確認し、厨房端末によってサーバから伝送された注文内容を調理のために表示または印刷する。【選択図】  図３
2005250934.tif 000002
【特許請求の範囲】
【請求項１】
表示手段，入力手段及び料金支払手段を有する客席端末または店員が所持するハンディ端末によってメニュー選択及び注文入力を行って注文内容をサーバに伝送し、
サーバによって客席端末またはハンディ端末から伝送された注文内容の記録と注文内容に応じた料金集計を行うと共に注文内容及び注文内容に応じた集計料金を含む会計要求を客席端末またはハンディ端末に伝送し、
客席端末またはハンディ端末によってサーバから伝送された会計要求を表示手段に表示し該会計要求に従って料金支払手段を通じて料金の支払いを行わせると共に会計の完了をサーバに伝送し、
サーバによって客席端末またはハンディ端末から伝送された会計完了を確認すると共に確認後に注文内容を厨房端末に伝送し、
表示手段または印刷手段を有する厨房端末によってサーバから伝送された注文内容を調理のために表示または印刷する、
ことを特徴とする注文会計方法。
【請求項２】
表示手段，入力手段及び料金支払手段を有する客席端末または店員が所持するハンディ端末によってメニュー選択及び注文入力を行って注文内容をサーバに伝送し、
サーバによって客席端末またはハンディ端末から伝送された注文内容の記録と注文内容に応じた料金集計を行うと共に注文内容及び注文内容に応じた集計料金を含む会計要求を客席端末またはハンディ端末に伝送し、且つ、注文内容を厨房端末に伝送し、
客席端末またはハンディ端末によってサーバから伝送された会計要求を表示手段に表示し該会計要求に従って料金支払手段を通じて料金の支払いを行わせると共に会計の完了をサーバに伝送し、
サーバによって客席端末またはハンディ端末から伝送された会計完了を確認し、
表示手段または印刷手段を有する厨房端末によってサーバから伝送された注文内容を調理のために表示または印刷する、
ことを特徴とする注文会計方法。
【請求項３】
表示手段，入力手段及び料金支払手段を有する客席端末または店員が所持するハンディ端末によってメニュー選択及び注文入力を行って注文内容をサーバに伝送し、
サーバによって客席端末またはハンディ端末から伝送された注文内容の記録と注文内容に応じた料金集計を行うと共に注文内容を厨房端末に伝送し、
入力手段と表示手段または印刷手段を有する厨房端末によってサーバから伝送された注文内容を調理のために表示または印刷すると共に調理または配膳の完了を入力してサーバに伝送し、
サーバによって厨房端末から伝送された調理または配膳の完了に基づいて注文内容及び注文内容に応じた集計料金を含む会計要求を客席端末またはハンディ端末に伝送し、
客席端末またはハンディ端末によってサーバから伝送された会計要求を表示手段に表示し該会計要求に従って料金支払手段を通じて料金の支払いを行わせると共に会計の完了をサーバに伝送し、
サーバによって客席端末またはハンディ端末から伝送された会計完了を確認する、
ことを特徴とする注文会計方法。
【発明の詳細な説明】
【技術分野】
【０００１】
本発明は、飲食店等に有用な注文会計方法に関する。
【背景技術】
【０００２】
飲食店の注文会計システムとして、客席毎に設けられた客席端末を利用して客自身が注文を直接行えるようにしたものが知られている。このシステムは、基本的には、各客席に置かれた客席端末と、管理室等に置かれたサーバと、厨房に置かれた厨房端末と、出入口に置かれた会計端末とを含むコンピュータネットワークから成る。
【０００３】
客席端末はメニュー選択及び注文入力を行うためのタッチセンサ付きのディスプレイを有し、客はディスプレイ表面に触れることでメニュー選択と注文入力を行う。客席端末からの注文の内容はサーバを介して厨房端末に伝送され、厨房端末が有するディスプレイまたはプリンターに表示または印刷される。調理係は前記注文内容に準じて調理を行い、配膳係は調理された料理を注文先に配膳する。サーバは注文内容の記録と注文内容に応じた料金集計を行い、集計料金を会計端末に伝送する。飲食が終わった客は会計端末が置かれた出入口において会計係に伝票を渡し、現金またはクレジットカートにより会計（料金の支払い）を行う。
【特許文献１】特開２０００−１２３０８８号公報
【発明の開示】
【発明が解決しようとする課題】
【０００４】
しかし、従来の注文会計方法では、出入口に置かれたレジスター等の会計端末を操作する会計係を専任または兼任で置く必要があることからその分の人件コストが嵩む不具合がある。また、会計には迅速性と正確性が求められるが、会計係の手際が悪いと客に不快感や不信感を与え、再度の来店が期待できなくなって店の売り上げ低下を招来する不具合もある。
【０００５】
本発明は前記事情に鑑みて創作されたもので、その目的とするところは、会計に関するコスト問題や不満を解消できる注文会計方法を提供することにある。
【課題を解決するための手段】
【０００６】
前記目的を達成するため、本発明に係る第１の注文会計方法は、表示手段，入力手段及び料金支払手段を有する客席端末または店員が所持するハンディ端末によってメニュー選択及び注文入力を行って注文内容をサーバに伝送し、サーバによって客席端末またはハンディ端末から伝送された注文内容の記録と注文内容に応じた料金集計を行うと共に注文内容及び注文内容に応じた集計料金を含む会計要求を客席端末またはハンディ端末に伝送し、客席端末またはハンディ端末によってサーバから伝送された会計要求を表示手段に表示し該会計要求に従って料金支払手段を通じて料金の支払いを行わせると共に会計の完了をサーバに伝送し、サーバによって客席端末またはハンディ端末から伝送された会計完了を確認すると共に確認後に注文内容を厨房端末に伝送し、表示手段または印刷手段を有する厨房端末によってサーバから伝送された注文内容を調理のために表示または印刷する、ことをその特徴とする。
【０００７】
この注文会計方法によれば、客から注文を受けた後は調理を始める前に注文内容に応じた会計をハンディ端末または客席端末を利用して行わせるようにしたので、出入口に会計専用の端末を置く必要がなく、店内が混雑している場合でも飲食後の退店をスムースに行うことができる。また、会計専用端末を操作する会計係を専任または兼任で置く必要がないので、会計係を専任または兼任で置くことによる人件コストを削減することができる。さらに、会計が完了するまでは注文された料理が調理，配膳されることがないので、未会計での退店を抑制することができる。
【０００８】
また、第２の注文会計方法は、表示手段，入力手段及び料金支払手段を有する客席端末または店員が所持するハンディ端末によってメニュー選択及び注文入力を行って注文内容をサーバに伝送し、サーバによって客席端末またはハンディ端末から伝送された注文内容の記録と注文内容に応じた料金集計を行うと共に注文内容及び注文内容に応じた集計料金を含む会計要求を客席端末またはハンディ端末に伝送し、且つ、注文内容を厨房端末に伝送し、客席端末またはハンディ端末によってサーバから伝送された会計要求を表示手段に表示し該会計要求に従って料金支払手段を通じて料金の支払いを行わせると共に会計の完了をサーバに伝送し、サーバによって客席端末またはハンディ端末から伝送された会計完了を確認し、表示手段または印刷手段を有する厨房端末によってサーバから伝送された注文内容を調理のために表示または印刷する、ことをその特徴とする。
【０００９】
この注文会計方法によれば、客から注文を受けた後は調理開始と並行して注文内容に応じた会計をハンディ端末または客席端末を利用して行わせるようにしたので、出入口に会計専用の端末を置く必要がなく、店内が混雑している場合でも飲食後の退店をスムースに行うことができる。また、会計専用端末を操作する会計係を専任または兼任で置く必要がないので、会計係を専任または兼任で置くことによる人件コストを削減することができる。さらに、調理開始と並行して会計を行わせるようにしたので、注文を行ってから調理が開始されるまでの時間を短縮して待ち時間を短くすることができる。
【００１０】
さらに、第３の注文会計方法は、表示手段，入力手段及び料金支払手段を有する客席端末または店員が所持するハンディ端末によってメニュー選択及び注文入力を行って注文内容をサーバに伝送し、サーバによって客席端末またはハンディ端末から伝送された注文内容の記録と注文内容に応じた料金集計を行うと共に注文内容を厨房端末に伝送し、入力手段と表示手段または印刷手段を有する厨房端末によってサーバから伝送された注文内容を調理のために表示または印刷すると共に調理または配膳の完了を入力してサーバに伝送し、サーバによって厨房端末から伝送された調理または配膳の完了に基づいて注文内容及び注文内容に応じた集計料金を含む会計要求を客席端末またはハンディ端末に伝送し、客席端末またはハンディ端末によってサーバから伝送された会計要求を表示手段に表示し該会計要求に従って料金支払手段を通じて料金の支払いを行わせると共に会計の完了をサーバに伝送し、サーバによって客席端末またはハンディ端末から伝送された会計完了を確認する、ことをその特徴とする。
【００１１】
この注文会計方法によれば、客から注文を受けた後は調理または配膳が完了した時点で注文内容に応じた会計をハンディ端末または客席端末を利用して行わせるようにしたので、出入口に会計専用の端末を置く必要がなく、店内が混雑している場合でも飲食後の退店をスムースに行うことができる。また、会計専用端末を操作する会計係を専任または兼任で置く必要がないので、会計係を専任または兼任で置くことによる人件コストを削減することができる。さらに、調理または配膳が完了した時点で会計を行わせるようにしたので、客は調理または配膳の完了を確認してから料金を支払うことができる。
【発明の効果】
【００１２】
本発明によれば、会計に関するコスト問題や不満を解消できる注文会計方法を提供することができる。
【００１３】
本発明の前記目的とそれ以外の目的と、構成特徴と、作用効果は、以下の説明と添付図面によって明らかとなる。
【発明を実施するための最良の形態】
【００１４】
図１〜図５は本発明の実施形態を示すもので、図１は飲食店のレイアウト図、図２は注文会計システムの構成図、図３は第１の注文会計方法の説明図、図４は第２の注文会計方法の説明図、図５は第３の注文会計方法の説明図である。
【００１５】
まず、図１及び図２を参照して注文会計システムの構成について説明する。ちなみに、図１及び２におけるＥＴは出入口、ＭＯは管理室、ＣＵは厨房、ＴＢは店内に設けられた複数の客席、ＳＣは店員、１００は無線または有線のＬＡＮ、１０１はサーバ、１０２はハンディ端末、１０３は料金支払機、１０４は客席端末、１０５は料金支払機、１０６は厨房端末、１０７はプリンター、１０８はルータ、１０９はカード発行機である。
【００１６】
カード発行機１０９は、電子マネーが入金されたＩＣカードの発行，ＩＣカードへの電子マネーチャージ，及びＩＣカードの残金の払い戻しを行うためのもので、カード購入或いは電子マネーチャージのために投入された紙幣や硬貨の識別と保管と釣銭の払い出しを行う金銭処理部と、操作部と、ＩＣカード発行部とを備える。このカード発行機１０９は出入口ＥＴに設置されている。
【００１７】
サーバ１０１は、ＬＣＤ等のディスプレイと、キーボード等の入力機器と、メニュー及び価格等を記憶する記憶部と、注文内容の記録・伝送や会計の要求・確認等の処理と各処理に応じたデータ通信を司るコンピュータ構成の制御部と、ＬＡＮ対応の通信部とを備える。このサーバ１０１は管理室ＭＯに設置されており、注文から会計に係る一連のデータ管理を行う他、ルータ２１１を介して外部サーバへの売り上げ等の送信や外部サーバからの新しいメニュー及び価格等の受信を行うことができる。また、サーバ１０１からハンディ端末１０２と客席端末１０４には必要に応じて新しいメニュー及び価格等を更新のために伝送することができる。
【００１８】
ハンディ端末１０２は、ＬＣＤ等のディスプレイと、ディスプレイ表面に設けられたタッチセンサと、メニュー表示や注文入力や会計等の処理と各処理に応じたデータ通信を司るコンピュータ構成の制御部と、ＬＡＮ対応の通信部とを備える。また、ハンディ端末１０２は、ＩＣカードによる料金の支払いを行うための料金支払機１０３を有している。料金支払機１０３を含むハンディ端末２０２は店員ＳＣが所持するものであり、注文及び会計に係わる操作は等の操作は店員ＳＣがディスプレイ表面に指先等を触れることにより行う。
【００１９】
客席端末１０４は、ＬＣＤ等のディスプレイと、ディスプレイ表面に設けられたタッチセンサと、メニュー表示や注文入力や会計等の処理と各処理に応じたデータ通信を司るコンピュータ構成の制御部と、ＬＡＮ対応の通信部とを備える。また、客席端末１０４は、ＩＣカードによる料金の支払いを行うための料金支払機１０５を有している。料金支払機１０５を含む客席端末１０４は客席ＴＢ毎に設置されており、注文及び会計に係わる操作は客席ＴＢに着いた客自身がディスプレイ表面に指先等を触れることにより行う。
【００２０】
厨房端末１０６は、ＬＣＤ等のディスプレイと、ディスプレイ表面に設けられたタッチセンサと、注文内容表示や調理完了入力等の処理と各処理に応じたデータ通信を司るコンピュータ構成の制御部と、ＬＡＮ対応の通信部とを備える。また、厨房端末１０６は、注文内容を紙に印刷するためのプリンター１０７を有している。プリンター１０７を含む厨房端末１０６は厨房ＣＵに設置されており、注文内容印刷等の操作は調理係または配膳係がディスプレイ表面に指先等を触れることにより行う。
【００２１】
次に、図３を引用して、前記システムにより実現される第１の注文会計方法について説明する。
【００２２】
客は出入口ＥＴのドアＤＲを開けて店内に入り、店員ＳＣの案内により、或いは、案内を受けずに空いている客席ＴＢに着く。
【００２３】
入店時にＩＣカードを所持してない客は、出入口ＥＴに置かれているカード発行機１０９によって会計に必要十分な電子マネーが入金されたＩＣカードを購入する。また、ＩＣカードを所持している客は、カード発行機１０９によって残高確認を必要に応じて行うと共に残金が少ない場合に電子マネーのチャージを行う。
【００２４】
客が客席ＴＢに着いた後は、店員ＳＣに注文内容を告げるか、または、客席ＴＢに置かれている客席端末１０４を利用して自らが注文を行う。
【００２５】
店員ＳＣに注文内容を告げる場合、店員ＳＣはハンディ端末１０２のディスプレイ表面に指先等を触れることにより客席番号と客数と注文を入力し入力事項をサーバ１０１に伝送する。
【００２６】
また、客席端末１０４を利用して客自身が注文を行う場合には、客がディスプレイ表面に指先等を触れることにより客数と注文を入力する。入力後に確定操作が行われると前記の入力事項がサーバ１０１に伝送される。ちなみに、客席番号は客席端末１０４毎に予め設定されているので、伝送時に付帯情報としてサーバ１０１に送られる。
【００２７】
ハンディ端末１０２または客席端末１０４からサーバ１０１に伝送された客席番号，客数及び注文内容はサーバ１０１のメモリに記録される。
【００２８】
サーバ１０１は注文内容を記録した後に注文内容に応じた料金集計を行い集計料金をメモリに記憶すると共に、ハンディ端末１０２と客席端末１０４に注文内容と注文内容に応じた集計料金を含む会計要求を伝送する。
【００２９】
サーバ１０１からハンディ端末１０２と客席端末１０４に会計要求が伝送されると、ハンディ端末１０２と客席端末１０４の各々のディスプレイには会計を促すメッセージと共に注文内容と注文内容に応じた集計料金が表示される。ここでのメッセージには「注文内容をご確認頂き、料金をお支払い下さい。」や「以下のご注文を承りましたので料金をお支払い下さい。」等が好ましく用いられる。
【００３０】
会計を店員ＳＣに委ねる場合には、店員ＳＣはハンディ端末１０２のディスプレイ表面に指先等を触れることにより会計容認の操作を行ってからハンディ端末１０２に設けられた料金支払機１０３の挿入部に客から預かったＩＣカードを挿入するか、或いは、料金支払機１０３の検知部に客から預かったＩＣカードを近づけることにより電子マネーによる会計（料金の支払い）を行う。
【００３１】
また、会計を客自身が行う場合には、客は客席端末１０４のディスプレイ表面に指先等を触れることにより会計容認の操作を行ってから客席端末１０４に隣接して設けられた料金支払機１０５の挿入部にＩＣカードを挿入するか、或いは、料金支払機１０５の検知部にＩＣカードを近づけることにより電子マネーによる会計（料金の支払い）を行う。
【００３２】
会計が完了すると、会計を行ったハンディ端末１０２または客席端末１０４からサーバ１０１に会計の完了がサーバ１０１に伝送され、サーバ１０１はこれに基づいて会計確認をしてその事実を記録すると共に、会計が完了した注文内容を客席番号及び客数と一緒に厨房端末１０６に伝送する。
【００３３】
厨房端末１０６に伝送された客席番号，客数及び注文内容は厨房端末１０６のメモリに記録されると共にディスプレイに表示される。ディスプレイに表示された客席番号，客数及び注文内容は、調理係または配膳係がディスプレイ表面に指先等を触れることによりプリンター１０７によって紙に印刷することもできる。
【００３４】
勿論、厨房端末１０６に伝送された客席番号，客数及び注文内容をディスプレイに表示せずに伝送と同時に自動的にプリンター１０７によって印刷するようにしてもよいし、また、伝送と同時に表示と印刷の両方を自動的に行うようにしてもよい。
【００３５】
調理係は厨房端末１０６のディスプレイに表示された内容またはプリンター１０７で印刷された内容に従って調理を行い、配膳係は調理された料理を注文先に配膳する。
【００３６】
客が追加注文を行うときの手順も前記と同様である。また、飲食後に客が退店するときにはＩＣカードの残金を出入口ＥＴのカード発行機１０９において現金に換金して受け取ることも可能である。
【００３７】
このように、図３に示した注文会計方法によれば、客から注文を受けた後は調理を始める前に注文内容に応じた会計をハンディ端末１０２または客席端末１０４を利用して行わせるようにしたので、出入口に会計専用の端末を置く必要がなく、店内が混雑している場合でも飲食後の退店をスムースに行うことができる。また、会計専用端末を操作する会計係を専任または兼任で置く必要がないので、会計係を専任または兼任で置くことによる人件コストを削減することができる。さらに、会計が完了するまでは注文された料理が調理，配膳されることがないので、未会計での退店を抑制することができる。
【００３８】
次に、図４を引用して、前記システムにより実現される第２の注文会計方法について説明する。
【００３９】
客は出入口ＥＴのドアＤＲを開けて店内に入り、店員ＳＣの案内により、或いは、案内を受けずに空いている客席ＴＢに着く。
【００４０】
入店時にＩＣカードを所持してない客は、出入口ＥＴに置かれているカード発行機１０９によって会計に必要十分な電子マネーが入金されたＩＣカードを購入する。また、ＩＣカードを所持している客は、カード発行機１０９によって残高確認を必要に応じて行うと共に残金が少ない場合に電子マネーのチャージを行う。
【００４１】
客が客席ＴＢに着いた後は、店員ＳＣに注文内容を告げるか、または、客席ＴＢに置かれている客席端末１０４を利用して自らが注文を行う。
【００４２】
店員ＳＣに注文内容を告げる場合、店員ＳＣはハンディ端末１０２のディスプレイ表面に指先等を触れることにより客席番号と客数と注文を入力し入力事項をサーバ１０１に伝送する。
【００４３】
また、客席端末１０４を利用して客自身が注文を行う場合には、客がディスプレイ表面に指先等を触れることにより客数と注文を入力する。入力後に確定操作が行われると前記の入力事項がサーバ１０１に伝送される。ちなみに、客席番号は客席端末１０４毎に予め設定されているので、伝送時に付帯情報としてサーバ１０１に送られる。
【００４４】
ハンディ端末１０２または客席端末１０４からサーバ１０１に伝送された客席番号，客数及び注文内容はサーバ１０１のメモリに記録される。
【００４５】
サーバ１０１は注文内容を記録した後に、注文内容を客席番号及び客数と一緒に厨房端末１０６に伝送する。
【００４６】
厨房端末１０６に伝送された客席番号，客数及び注文内容は厨房端末１０６のメモリに記録されると共にディスプレイに表示される。ディスプレイに表示された客席番号，客数及び注文内容は、調理係または配膳係がディスプレイ表面に指先等を触れることによりプリンター１０７によって紙に印刷することもできる。
【００４７】
勿論、厨房端末１０６に伝送された客席番号，客数及び注文内容をディスプレイに表示せずに伝送と同時に自動的にプリンター１０７によって印刷するようにしてもよいし、また、伝送と同時に表示と印刷の両方を自動的に行うようにしてもよい。
【００４８】
調理係は厨房端末１０６のディスプレイに表示された内容またはプリンター１０７で印刷された内容に従って調理を行い、配膳係は調理された料理を注文先に配膳する。
【００４９】
また、サーバ１０１は注文内容を記録した後に注文内容に応じた料金集計を行い集計料金をメモリに記録すると共に、ハンディ端末１０２と客席端末１０４に注文内容と注文内容に応じた集計料金を含む会計要求を伝送する。
【００５０】
サーバ１０１からハンディ端末１０２と客席端末１０４に会計要求が伝送されると、ハンディ端末１０２と客席端末１０４の各々のディスプレイには会計を促すメッセージと共に注文内容と注文内容に応じた集計料金が表示される。ここでのメッセージには「注文内容をご確認頂き、料金をお支払い下さい。ご注文の品は現在調理中です。」や「以下のご注文を承りましたので料金をお支払い下さい。ご注文の品は現在調理しております。」等が好ましく用いられる。
【００５１】
会計を店員ＳＣに委ねる場合には、店員ＳＣはハンディ端末１０２のディスプレイ表面に指先等を触れることにより会計容認の操作を行ってからハンディ端末１０２に設けられた料金支払機１０３の挿入部に客から預かったＩＣカードを挿入するか、或いは、料金支払機１０３の検知部に客から預かったＩＣカードを近づけることにより電子マネーによる会計（料金の支払い）を行う。
【００５２】
また、会計を客自身が行う場合には、客は客席端末１０４のディスプレイ表面に指先等を触れることにより会計容認の操作を行ってから客席端末１０４に隣接して設けられた料金支払機１０５の挿入部にＩＣカードを挿入するか、或いは、料金支払機１０５の検知部にＩＣカードを近づけることにより電子マネーによる会計（料金の支払い）を行う。
【００５３】
会計が完了すると、会計を行ったハンディ端末１０２または客席端末１０４からサーバ１０１に会計の完了がサーバ１０１に伝送され、サーバ１０１はこれに基づいて会計確認をしてその事実を記録する。
【００５４】
客が追加注文を行うときの手順も前記と同様である。また、飲食後に客が退店するときにはＩＣカードの残金を出入口ＥＴのカード発行機１０９において現金に換金して受け取ることも可能である。
【００５５】
このように、図４に示した注文会計方法によれば、客から注文を受けた後は調理開始と並行して注文内容に応じた会計をハンディ端末１０２または客席端末１０４を利用して行わせるようにしたので、出入口に会計専用の端末を置く必要がなく、店内が混雑している場合でも飲食後の退店をスムースに行うことができる。また、会計専用端末を操作する会計係を専任または兼任で置く必要がないので、会計係を専任または兼任で置くことによる人件コストを削減することができる。さらに、調理開始と並行して会計を行わせるようにしたので、注文を行ってから調理が開始されるまでの時間を短縮して待ち時間を短くすることができる。
【００５６】
次に、図５を引用して、前記システムにより実現される第３の注文会計方法について説明する。
【００５７】
客は出入口ＥＴのドアＤＲを開けて店内に入り、店員ＳＣの案内により、或いは、案内を受けずに空いている客席ＴＢに着く。
【００５８】
入店時にＩＣカードを所持してない客は、出入口ＥＴに置かれているカード発行機１０９によって会計に必要十分な電子マネーが入金されたＩＣカードを購入する。また、ＩＣカードを所持している客は、カード発行機１０９によって残高確認を必要に応じて行うと共に残金が少ない場合に電子マネーのチャージを行う。
【００５９】
客が客席ＴＢに着いた後は、店員ＳＣに注文内容を告げるか、または、客席ＴＢに置かれている客席端末１０４を利用して自らが注文を行う。
【００６０】
店員ＳＣに注文内容を告げる場合、店員ＳＣはハンディ端末１０２のディスプレイ表面に指先等を触れることにより客席番号と客数と注文を入力し入力事項をサーバ１０１に伝送する。
【００６１】
また、客席端末１０４を利用して客自身が注文を行う場合には、客がディスプレイ表面に指先等を触れることにより客数と注文を入力する。入力後に確定操作が行われると前記の入力事項がサーバ１０１に伝送される。ちなみに、客席番号は客席端末１０４毎に予め設定されているので、伝送時に付帯情報としてサーバ１０１に送られる。
【００６２】
ハンディ端末１０２または客席端末１０４からサーバ１０１に伝送された客席番号，客数及び注文内容はサーバ１０１のメモリに記録される。
【００６３】
サーバ１０１は注文内容を記録した後に、注文内容を客席番号及び客数と一緒に厨房端末１０６に伝送する。
【００６４】
厨房端末１０６に伝送された客席番号，客数及び注文内容は厨房端末１０６のメモリに記録されると共にディスプレイに表示される。ディスプレイに表示された客席番号，客数及び注文内容は、調理係または配膳係がディスプレイ表面に指先等を触れることによりプリンター１０７によって紙に印刷することもできる。
【００６５】
勿論、厨房端末１０６に伝送された客席番号，客数及び注文内容をディスプレイに表示せずに伝送と同時に自動的にプリンター１０７によって印刷するようにしてもよいし、また、伝送と同時に表示と印刷の両方を自動的に行うようにしてもよい。
【００６６】
調理係は厨房端末１０６のディスプレイに表示された内容またはプリンター１０７で印刷された内容に従って調理を行い、配膳係は調理された料理を注文先に配膳する。
【００６７】
注文を受けた全ての料理の調理が完了した後、或いは、配膳が完了した後は、調理係または配膳係が厨房端末１０６のディスプレイ表面に指先等を触れることにより調理完了の操作を行う。
【００６８】
この操作により調理（配膳）が完了したことがサーバ１０１に伝送され、サーバ２０１はこれに基づいて注文に応じた料金集計を行い集計料金をメモリに記録すると共に、ハンディ端末１０２と客席端末１０４に注文内容と注文内容に応じた集計料金を含む会計要求を伝送する。
【００６９】
サーバ１０１からハンディ端末１０２と客席端末１０４に会計要求が伝送されると、ハンディ端末１０２と客席端末１０４の各々のディスプレイには会計を促すメッセージと共に注文内容と注文内容に応じた集計料金が表示される。ここでのメッセージには「注文の品全ての調理（配膳）が完了致しました。注文内容をご確認頂き、料金をお支払い下さい。」や「以下の注文を承り、調理（配膳）を完了致しましたので料金をお支払い下さい。」等が好ましく用いられる。
【００７０】
会計を店員ＳＣに委ねる場合には、店員ＳＣはハンディ端末１０２のディスプレイ表面に指先等を触れることにより会計容認の操作を行ってからハンディ端末１０２に設けられた料金支払機１０３の挿入部に客から預かったＩＣカードを挿入するか、或いは、料金支払機１０３の検知部に客から預かったＩＣカードを近づけることにより電子マネーによる会計（料金の支払い）を行う。
【００７１】
また、会計を客自身が行う場合には、客は客席端末１０４のディスプレイ表面に指先等を触れることにより会計容認の操作を行ってから客席端末１０４に隣接して設けられた料金支払機１０５の挿入部にＩＣカードを挿入するか、或いは、料金支払機１０５の検知部にＩＣカードを近づけることにより電子マネーによる会計（料金の支払い）を行う。
【００７２】
会計が完了すると、会計を行ったハンディ端末１０２または客席端末１０４からサーバ１０１に会計の完了がサーバ１０１に伝送され、サーバ１０１はこれに基づいて会計確認をしてその事実を記録する。
【００７３】
客が追加注文を行うときの手順も前記と同様である。また、飲食後に客が退店するときにはＩＣカードの残金を出入口ＥＴのカード発行機１０９において現金に換金して受け取ることも可能である。
【００７４】
このように、図５に示した注文会計方法によれば、客から注文を受けた後は調理または配膳が完了した時点で注文内容に応じた会計をハンディ端末１０２または客席端末１０４を利用して行わせるようにしたので、出入口に会計専用の端末を置く必要がなく、店内が混雑している場合でも飲食後の退店をスムースに行うことができる。また、会計専用端末を操作する会計係を専任または兼任で置く必要がないので、会計係を専任または兼任で置くことによる人件コストを削減することができる。さらに、調理または配膳が完了した時点で会計を行わせるようにしたので、客は調理または配膳の完了を確認してから料金を支払うことができる。
【００７５】
尚、前述の説明では、料金支払機１０３，１０５として電子マネー記録のＩＣカードを扱うものを示したが、クレジットカード，キャッシュカード，飲食店発行のプリペイドカードまたは電子マネーを記録可能なＩＣチップを内蔵した携帯電話によって会計が行えるものを料金支払機１０３，１０５として用いてもよく、２以上の支払い方法が選択的に利用可能なものを料金支払機１０３，１０５として用いれば利便性を向上できる。また、飲食店発行のプリペイドカード等についても前記ＩＣカードと同様に飲食後に客が退店するときにカード残金をカード発行機１０９において現金に換金して受け取れるようにしてもよい。
【図面の簡単な説明】
【００７６】
【図１】飲食店のレイアウト図である。
【図２】注文会計システムの構成図である
【図３】第１の注文会計方法の説明図である。
【図４】第２の注文会計方法の説明図である。
【図５】第３の注文会計方法の説明図である。
【符号の説明】
【００７７】
ＥＴ…出入口、ＭＯ…管理室、ＣＵ…厨房、ＴＢ…客席、ＳＣ…店員  １００…ＬＡＮ、１０１…サーバ、１０２…ハンディ端末、１０３…料金支払機、１０４…客席端末、１０５…料金支払機、１０６…厨房端末、１０７…プリンター。
【図１】
2005250934.tif 000003
【図２】
2005250934.tif 000004
【図３】
2005250934.tif 000005
【図４】
2005250934.tif 000006
【図５】
2005250934.tif 000007